(57)【要約】【課題】本発明は、たとえば医薬品等の物品を収納し、搬送するためのトレイの容積を拡張するための容積拡張枠と、それを装着したトレイユニットに関するもので、トレイからの容積拡張枠の脱着作業性を向上させること目的とするものである。【解決手段】そして、この目的を達成するために本発明は、上下面に開口部を有する四角形の枠体７と、この枠体７の下面側に設けたトレイ被載置部１８とを備え、前記枠体７の第１の辺９に、下方に向かって突出させた第１の係合部１０を設けるとともに、前記枠体７の第１の辺９に対向する第２の辺１１に、下方に向かって突出させた第２の係合部１２を設け、前記第１、第２の係合部１０、１２は、前記第１の辺９の一端側と、前記第２の辺１１の一端側を結合した第３の辺１３からの距離を異ならせた。【選択図】図１
2014218250.tif 000002
【特許請求の範囲】
【請求項１】
上下面に開口部を有する四角形の枠体と、この枠体の下面側に設けたトレイ被載置部とを備え、前記枠体の第１の辺に、下方に向かって突出させた第１の係合部を設けるとともに、前記枠体の第１の辺に対向する第２の辺に、下方に向かって突出させた第２の係合部を設け、前記第１、第２の係合部は、前記第１の辺の一端側と、前記第２の辺の一端側を結合した第３の辺からの距離を異ならせた容積拡張枠。
【請求項２】
第１、第２の係合部の内方、または外方の少なくとも一方に係合爪を設けた請求項１に記載の容積拡張枠。
【請求項３】
枠体の上面側にトレイ載置部を設けた請求項２に記載の容積拡張枠。
【請求項４】
請求項１から３のいずれかひとつに記載の容積拡張枠と、この容積拡張枠が、その上面側に装着される四角形のトレイとを備え、前記トレイは、底面と、この底面の外周部から上方に立ち上がった四角形の外周壁とを有する容器状の本体とを有し、前記トレイの外周壁で、前記容積拡張枠の第１の係合部に対応する部分には、この第１の係合部が係合する第１の被係合部を設け、前記トレイの外周壁で、前記容積拡張枠の第２の係合部に対応する部分には、この第２の係合部が係合する第２の被係合部を設けたトレイユニット。
【請求項５】
トレイの外周壁の上面側には、外周方向に向けて延ばしたフランジを設け、このフランジの前記容積拡張枠の第１の係合部に対応する部分には、この第１の係合部が貫通する第１の貫通孔を設け、このフランジの前記容積拡張枠の第２の係合部に対応する部分には、この第２の係合部が貫通する第２の貫通孔を設けた請求項４に記載のトレイユニット。
【発明の詳細な説明】
【技術分野】
【０００１】
本発明は、たとえば医薬品等の物品を収納し、搬送するためのトレイの容積を拡張するための容積拡張枠と、それを装着したトレイユニットに関するものである。
【背景技術】
【０００２】
従来のこの種、トレイは、たとえば薬品支払装置に活用されており、以下のような構成となっていた。
【０００３】
すなわち、従来のトレイは、底面と、この底面の外周部から上方に立ち上がった外周壁とを有する容器状の本体とを備え、この本体の内部は必要に応じて、仕切板によって複数の空間に仕切られるようになっていた（たとえば、下記特許文献１）。
【先行技術文献】
【特許文献】
【０００４】
【特許文献１】特開平５−１６８６５０号公報
【発明の概要】
【発明が解決しようとする課題】
【０００５】
前記従来例においては、トレイの容積は底面上に設けた外周壁の高さで決まるようになっていたので、このトレイ中に大きな医薬品、たとえば点滴バックを収納させる場合には、この点滴バックが外周壁を超えて外方に落下する虞があった。そこで、この外周壁上に収納容積を大きくするための容積拡張枠を装着することが考えられる。
【０００６】
この容積拡張枠は、トレイの収納容積を大きくするときには必要であるが、通常時は不要なものとなるので、前記トレイの外周壁に対して着脱自在に装着する必要がある。そこで考えられるのが、前記容積拡張枠としては、上下面に開口部を有する四角形の枠体と、この枠体の下面側に設けたトレイ被載置部とを備え、前記枠体の第１の辺に、下方に向かって突出させた第１の係合部を設けるとともに、前記枠体の第１の辺に対向する第２の辺に、下方に向かって突出させた第２の係合部を設けることである。
【０００７】
つまり、この容積拡張枠の第１、第２の係合部をトレイに着脱自在に係合させる事で、トレイに対して容積拡張枠を着脱自在な構成とするものである。
【０００８】
本発明は、このように容積拡張枠の第１、第２の辺に第１、第２の係合部を単に設けただけでは、実際のトレイから容積拡張枠を脱着する作業性が悪くなるという事に着目し、トレイからの容積拡張枠の脱着作業性を向上させることを目的とするものである。
【課題を解決するための手段】
【０００９】
そしてこの目的を達成するために本発明は、上下面に開口部を有する四角形の枠体と、この枠体の下面側に設けたトレイ被載置部とを備え、前記枠体の第１の辺に、下方に向かって突出させた第１の係合部を設けるとともに、前記枠体の第１の辺に対向する第２の辺に、下方に向かって突出させた第２の係合部を設け、前記第１、第２の係合部は、前記第１の辺の一端側と、前記第２の辺の一端側を結合した第３の辺からの距離を異ならせた構成とし、これにより、所期の目的を達成するものである。
【発明の効果】
【００１０】
以上のように本発明は、上下面に開口部を有する四角形の枠体と、この枠体の下面側に設けたトレイ被載置部とを備え、前記枠体の第１の辺に、下方に向かって突出させた第１の係合部を設けるとともに、前記枠体の第１の辺に対向する第２の辺に、下方に向かって突出させた第２の係合部を設け、前記第１、第２の係合部は、前記第１の辺の一端側と、前記第２の辺の一端側を結合した第３の辺からの距離を異ならせた構成としたものであるので、トレイからの容積拡張枠の脱着作業性を向上させることができるようになる。
【００１１】
すなわち、本発明においては、前記枠体の第１の辺に、下方に向かって突出させた第１の係合部を設けるとともに、前記枠体の第１の辺に対向する第２の辺に、下方に向かって突出させた第２の係合部を設け、前記第１、第２の係合部は、前記第１の辺の一端側と、前記第２の辺の一端側を結合した第３の辺からの距離を異ならせた構成としたものであり、トレイからの容積拡張枠の脱着作業時には左右の手で、前記第１、第２の係合部を操作することになる。
【００１２】
このとき、前記第１、第２の係合部は、前記第１の辺の一端側と、前記第２の辺の一端側を結合した第３の辺からの距離を異ならせた構成となっているので、それぞれの手で操作しやすい状態を作ることができ、この結果として、トレイからの容積拡張枠の脱着作業性を向上させることができるのである。
この点について、いま少し説明すると、前記第１、第２の係合部の両者が、第３の辺から遠い位置に設けられていた場合には、左右の腕が伸びた遠方の作業となるので、作業性が悪く、逆に、前記第１、第２の係合部の両者が、第３の辺から近い位置に設けられていた場合には、左右の腕が縮んだ近傍の作業となるので、この時も作業性が悪くなってしまう。
【００１３】
それに対して、本発明のように、前記第１、第２の係合部は、前記第１の辺の一端側と、前記第２の辺の一端側を結合した第３の辺からの距離を異ならせた構成とした場合には、作業者は、たとえば、体を少しひねった状態で遠方の係合部の操作や、近傍の係合部の操作も行いやすい状況を簡単に構築し、その状態で脱着作業を行うことができるので、この結果として、トレイからの容積拡張枠の脱着作業性を向上させることができるのである。
【図面の簡単な説明】
【００１４】
【図１】本発明の一実施形態のトレイユニットの分解斜視図
【図２】同トレイユニットの分解側面図
【図３】同トレイユニットの斜視図
【図４】同トレイユニットの平面図
【図５】同トレイユニットの一部拡大断面図
【図６】同トレイユニットの他の使用状態を示す斜視図
【図７】同トレイユニットの他の使用状態を示す側面図
【図８】同トレイユニットの他の使用状態を示す一部拡大断面図
【発明を実施するための形態】
【００１５】
以下、本発明の一実施形態にかかるトレイユニットに関して、添付図面を用いて説明する。
【００１６】
（実施の形態１）
図１において、１は医薬品を搬送するためのトレイで、このトレイ１は四角形の底面２
の外周部から上方に立ち上がった四角形の外周壁３有する容器状の本体４を有している。
【００１７】
通常状態では、このトレイ１の本体４内に医薬品が複数個、仕切り板５で分離された状態で収納されるようになっている。
【００１８】
しかしながら、このトレイ１の本体４に、大きな医薬品、たとえば点滴パックを収納させる時には、この点滴パックが本体４外に脱落しないように、トレイ１の対して容積拡張枠６が装着される。
容積拡張枠６は、上下面に開口部を有する四角形の枠体７と、この枠体７の下面側に設けたトレイ被載置部８とを備え、前記枠体７の長辺となる第１の辺９に、下方に向かって突出させた第１の係合部１０を設けるとともに、前記枠体７の第１の辺９に対向する長辺となる第２の辺１１に、下方に向かって突出させた第２の係合部１２を設けている。また、前記第１、第２の係合部１０、１２は、前記第１の辺９の一端側と、前記第２の辺１１の一端側を結合した短辺となる第３の辺１３からの距離を異ならせている。
【００１９】
具体的には、図２に示すごとく、第１の係合部１０は、第３の辺１３から近く、第２の係合部１２は、第３の辺１３から遠くなっている。
【００２０】
また、第１、第２の係合部１０、１２の内方には、図１に示すごとく、係合爪１４が設けられている。
【００２１】
更に、トレイ１の外周壁３の上面側には、図１に示すごとく、外周方向に向けて延ばしたフランジ１５を設け、このフランジ１５の前記容積拡張枠６の第１の係合部１０に対応する部分には、この第１の係合部１０が貫通する第１の貫通孔１６を設け、このフランジ１５の前記容積拡張枠６の第２の係合部１２に対応する部分には、この第２の係合部１２が貫通する第２の貫通孔１７を設けている。
【００２２】
従って、トレイ１の収納容積を拡大するときには、図３から図５に示すごとく、トレイ１のフランジ１５上に容積拡張枠６を載せ、この容積拡張枠６の第１の係合部１０を第１の貫通孔１６に貫通させ、更に、このフランジ１５の前記容積拡張枠６の第２の係合部１２を第２の貫通孔１７に貫通させることとなる。
【００２３】
つまり、トレイ１のフランジ１５の内方側には、容積拡張枠６のトレイ被載置部８を載置するトレイ載置部１８が設けられており、このトレイ載置部１８に容積拡張枠６が載置された状態で、前記容積拡張枠６の第１の係合部１０に設けた係合爪１４は、第１の貫通孔１６下方のトレイ１の外周壁３に設けた第１の被係合部（図示していないが、係合爪１４が係合する突起）に着脱自在に係合する。また、前記容積拡張枠６の第２の係合部１２に設けた係合爪１４は、第１の貫通孔１７下方のトレイ１の外周壁３に設けた第２の被係合部（図示していないが、係合爪１４が係合する突起）に着脱自在に係合する。
【００２４】
この結果として、トレイ１の上面開口部に、容積拡張枠６が着脱自在に装着され、この容積拡張枠６の分だけトレイ１の収納容積が拡大されることとなる。従って、トレイ１上に、大きな医薬品、たとえば点滴パックを収容させたとしても、この点滴パックがトレイ１外に落下することはなくなる。
【００２５】
また、図３から図５のように、トレイ１上に、容積拡張枠６を装着した状態から、容積拡張枠６を取り外す場合には、図２、図３のごとく、トレイ１の外周に、存在する第１、第２の係合部１０、１２の、係合爪１４部分の外側部分を、それぞれ左右の指で外方に広げれば、トレイ１に設けた第１、第２の被係合部から容易に係合をはずすことができるので、その状態で容積拡張枠６を上方に持ち上げればよい。
【００２６】
この作業を行う場合の一例として、作業者は、第３の辺１３が体の前に来る状態で、左手で第１の係合部１０を操作し、右手で第２の係合部１２を操作することなる。このとき重要なことは、本実施形態においては、前記第１、第２の係合部１０、１２は、前記第１の辺９の一端側と、前記第２の辺１１の一端側を結合した第３の辺１３からの距離を異ならせた構成としたことである。
【００２７】
この点について、いま少し説明すると、前記第１、第２の係合部１０、１２の両者が、第３の辺１３から遠い位置に設けられていた場合には、左右の腕が伸びた遠方の作業となるので、作業性が悪く、逆に、前記第１、第２の係合部１０、１２の両者が、第３の辺１３から近い位置に設けられていた場合には、左右の腕が縮んだ近傍の作業となるので、この時も作業性が悪くなってしまう。
【００２８】
それに対して、本実施形態のように、前記第１、第２の係合部１０、１２は、前記第１の辺９の一端側と、前記第２の辺１１の一端側を結合した第３の辺１３からの距離を異ならせた構成とした場合には、作業者は、たとえば、体を少しひねった状態で遠方の係合部（第２の係合部１２）の左手の操作や、近傍の係合部（第１の係合部１０）の右手の操作も行いやすい状況を簡単に構築し、その状態で脱着作業を行うことができるので、この結果として、トレイ１からの容積拡張枠６の脱着作業性を向上させることができるのである。
【００２９】
また、第１、第２の係合部１０、１２が外れた状態では、前方に伸びた右手で第２の辺１１を持ち上げれば、容積拡張枠６をトレイ１から容易に取り外すことができ、この点からも、脱着作業性を向上させることができるものである。
【００３０】
図６から図８は、更に、異なる使用例を示したものであり、図３から図５のごとく、トレイ１上に容積拡張枠６を装着した状態で、この容積拡張枠６上に他のトレイ１を載置させたものである。つまり、容積拡張枠６の上面は、トレイ１を載置する載置部を有する構成となっている。
【００３１】
なお、上記実施形態においては、第１、第２の係合部１０、１２の内方に係合爪１４を設けたが、この係合爪１４は、第１、第２の係合部１０、１２の外方に設けてもよい。ただし、このように、係合爪１４は、第１、第２の係合部１０、１２の外方に設ける場合には、この係合爪１４が、係合する係合部は、外周壁３やフランジ１５に、それに合わせて設ける必要がある。
【産業上の利用可能性】
【００３２】
以上のように本発明は、上下面に開口部を有する四角形の枠体と、この枠体の下面側に設けたトレイ被載置部とを備え、前記枠体の第１の辺に、下方に向かって突出させた第１の係合部を設けるとともに、前記枠体の第１の辺に対向する第２の辺に、下方に向かって突出させた第２の係合部を設け、前記第１、第２の係合部は、前記第１の辺の一端側と、前記第２の辺の一端側を結合した第３の辺からの距離を異ならせた構成としたものであるので、トレイからの容積拡張枠の脱着作業性を向上させることができるようになる。
【００３３】
すなわち、本発明においては、前記枠体の第１の辺に、下方に向かって突出させた第１の係合部を設けるとともに、前記枠体の第１の辺に対向する第２の辺に、下方に向かって突出させた第２の係合部を設け、前記第１、第２の係合部は、前記第１の辺の一端側と、前記第２の辺の一端側を結合した第３の辺からの距離を異ならせた構成としたものであり、トレイからの容積拡張枠の脱着作業時には左右の手で、前記第１、第２の係合部を操作することになる。
【００３４】
このとき、前記第１、第２の係合部は、前記第１の辺の一端側と、前記第２の辺の一端側を結合した第３の辺からの距離を異ならせた構成となっているので、それぞれの手で操作しやすい状態を作ることができ、この結果として、トレイからの容積拡張枠の脱着作業性を向上させることができるのである。
【００３５】
したがって、例えば、医薬品等の物品を収納することのできるトレイなどへの活用が期待されるものとなる。
【符号の説明】
【００３６】
１  トレイ
２  底面
３  外周壁
４  本体
５  仕切り板
６  容積拡張枠
７  枠体
８  トレイ被載置部
９  第１の辺
１０  第１の係合部
１１  第２の辺
１２  第２の係合部
１３  第３の辺
１４  係合爪
１５  フランジ
１６  第１の貫通孔
１７  第２の貫通孔
１８  トレイ載置部
【図１】
2014218250.tif 000003
【図２】
2014218250.tif 000004
【図３】
2014218250.tif 000005
【図４】
2014218250.tif 000006
【図５】
2014218250.tif 000007
【図６】
2014218250.tif 000008
【図７】
2014218250.tif 000009
【図８】
2014218250.tif 000010